(57)【要約】【課題】  施錠用閂板５の形状を変更することにより、費用負担をかけずに、バールによるロッカーのこじ開けを困難化させる。【解決手段】  施錠用閂板２０の下辺Ｒに、回動軸点側から施錠フック２１側に向かって上方に傾斜する傾斜部２４を形成し、施錠フック２１の下端に小突起２３を設ける一方、ロッカー側に小突起２３を受け入れる小孔３３を設ける。傾斜部２４を設けると、バール等の工具を用いて施錠用閂板の下辺Ｒを叩いても、バールは傾斜部２４に沿って上方に滑り力は分散される。同時に、小突起２３がケース本体側に設けた小孔３３に入っているので、強い力で施錠用閂板を下から叩いても、小突起の係合が外れない限り扉のロックを解錠することは出来ない。【選択図】    図３
0003131461.tif 000002
【実用新案登録請求の範囲】
【請求項１】
キーの回動操作に従動して回動する施錠用閂板とこの施錠用閂板の受け孔とを備えるロッカー用錠において、
前記施錠用閂板の下辺に、施錠状態で、回動軸点側から施錠フック側に向かって上方に傾斜する傾斜部を形成するとともに、
施錠フックの下部に、施錠時に回動軸点側に向かう小突起を設ける一方、
ロッカーのケース本体側に、当該小突起を受け入れる小孔を設けたことを特徴とするロッカー用錠。
【請求項２】
施錠用閂板の下辺に設ける傾斜部のフック側端部は、施錠時に、受け孔の幅方向中央より外方に位置させる一方、
施錠フックの下部に設けた小突起は、施錠時に上方に向かう凸部を備えることを特徴とする請求項１記載のロッカー用錠。
【考案の詳細な説明】
【技術分野】
【０００１】
本考案は、ロッカー用の錠に係り、とくに施錠用閂板の形状改善に関する。
【背景技術】
【０００２】
コインロッカーや更衣室ロッカーなど各種の普及型のロッカーは、図４に示すように、開口をもったケース本体１と、この開口を閉鎖する扉２を備え、扉２の表面にキーを差し込むための鍵穴３を設ける一方、扉２の裏面に、正当なキーによって操作できるシリンダ部４と、このシリンダ部４の動きに従動して回動する施錠用閂板５とを備える。施錠用閂板５は、その長手方向の姿勢が、施錠時には略水平方向に横たわり、解錠時には略鉛直方向に立ち上がる。
【０００３】
他方、ケース本体１の開口端部には、施錠時に施錠用閂板５を受け入れる受け孔７が設けられ、この受け孔７に施錠用閂板５の施錠フック５−２が入り込むことで扉２がロックされるようになっている。解錠時には、正当なキー操作によって施錠用閂板５を回動させ、施錠フック５−２を受け孔７から外せばよい。
【０００４】
ところで、普及型のロッカーで使用される施錠用閂板５は、ロッカーの製造コストを低減する等の理由から、ある程度の剛性はもっているが比較的単純な形状を呈している。
【０００５】
図５は、その代表的な形状である。施錠用閂板５は、剛性確保のため例えば２〜３ｍｍの肉厚をもった金属板で作られるが、その形状は、略長方形型であって、受け孔７に入り込む部分に凹部８をもっている。凹部８は、回動軸点Ｘと反対位置となる先端側に形成され、この凹部８の成形に伴って出来る施錠フック５−２が、受け孔７の下側にある板材９と係合して扉２をロックする。
【０００６】
従来の施錠用閂板５は、このように、上辺Ｑと下辺Ｒとが概ね平行な形状となっており、略長方形の金属板を用いれば，簡単に凹部８を成形して、製品パーツとして使用できるようになっている。
【特許文献１】なし
【考案の開示】
【考案が解決しようとする課題】
【０００７】
問題は、従来の施錠用閂板５は、特殊工具、とくにバールを用いたロッカーのこじ開けが容易であるという点にある。
【０００８】
バールによるロッカーのこじ開けは、次のように行われる。まず図６に示すように、バールＢを用いて扉２に隙間を作り、この隙間からバールＢを差し込んで、図７に示すように施錠用閂板５の下辺Ｒを下から上に向かって叩けば、施錠用閂板５の施錠フック５−２は受け孔７から外れて扉２のロックは簡単に解除できる。常習の犯罪者であれば、通常の場合、ひとつのロッカーを数秒で開けることができるとされる。犯罪者は１〜２分程度の時間があれば、短時間でも連続的にこじ開けを行い金品を盗み取る。
【０００９】
これを防止するには、例えば、扉２が開いたことを知らせるＡＮＤ回路を用いたセンサ装置を用いたり、あるいは監視カメラを設置する方法もある。しかしながら、たいていの場合、そのような対策は望ましくない。例えば、公営プールのように自治体が運営する施設では、センサ設置に伴う電気配線の煩雑やソフトウエアの導入やメンテナンスに伴うシステム費用を負担することが厳しいのが実情である。また更衣室に防犯カメラを設置するのは、プラーバシーの侵害や肖像権の侵害問題など、難しい法律問題を惹起する可能性が高い。
【００１０】
そこで、本考案の目的は、従来の施錠用閂板５の形状を若干変更することにより、大幅な費用負担をかけずに、バールによるロッカーのこじ開けを困難化させて犯罪の発生率を確実に低下させることにある。
【課題を解決するための手段】
【００１１】
前記目的を達成して、課題を解決するため、本考案に係るロッカー用錠は、キーの回動操作に従動して回動する施錠用閂板を備えるロッカー用錠を技術的前提として、施錠用閂板の下辺に、施錠状態で、回動軸点側（基端側）から施錠フック側（先端側）に向かって上方に傾斜する傾斜部を形成するとともに、施錠フックの下端に、施錠時に回動軸点側（内側）に向かう小突起を設ける一方、ロッカーのケース本体側に、当該小突起を受け入れる小孔を設ける。
【００１２】
施錠用閂板の下辺に、回動軸点側（基端側）から施錠フック側（先端側）に向かって上方傾斜する傾斜部を設けると、バール等の工具を用いて施錠用閂板の下辺を叩き、上向きの外力を加えても、バールは傾斜部に沿って上方に滑る。この結果として、外力は一点に集中することなく分散され、弱まる。これと同時に、施錠用閂板の先端側の施錠フックの小突起がケース本体側に設けた小孔に入っているので、バールを用いて強い力で施錠用閂板を下から叩いても、施錠フックの小突起の係合が外れない限り、扉のロックを解錠することは出来ない。
【００１３】
このロッカー用錠は、施錠用閂板の下辺に傾斜部を設けて外力の働きを低減させると同時に施錠フックの小突起を係合させることにより、短時間での解錠の難易度を確実に高めるものである。
【考案の効果】
【００１４】
本考案に係るロッカー用錠によれば、施錠用閂板を切削によって形状変更することにより、バールによるロッカーのこじ開けを困難化させ犯罪の発生率を低下させることが出来る。既存設備でも施錠用閂板の形状を切削により変更するだけで良いから、自治体等においても最小限度の費用負担で改善策をとることが可能である。
【考案を実施するための最良の形態】
【００１５】
図１、図２は、本考案に係るロッカー用錠の一実施形態を示すものである。このロッカー用錠は、キーの回動操作に従動して回動する施錠シリンダ１０に施錠用閂板２０を固定してなり、ロッカーの本体ケース側には、この施錠用閂板２０を受け入れる受け孔３０とともに、施錠用閂板２０の施錠フック２１の下部に設けた小突起２３を受け入れる小孔３３を設けてなる。
【００１６】
本考案に係る施錠用閂板２０は、その下辺に、施錠シリンダ１０との固定箇所である回動軸点側から施錠フック２１側に向かって上方に傾斜する傾斜部２４を形成してある。
【００１７】
この傾斜部２４は、下方からバールのような特殊工具等によって上方に向かって殴打されたときに、当該特殊工具を上方に向かって滑動させることによって外力を分散させるものである。従って、傾斜部２４の下端面は凹凸のない平滑な直線として成形する。
【００１８】
その傾斜は、角度が大きいほど好ましいが、犯罪実行を困難化させる目的から云えば、水平面に対して４０〜５０度程度の傾きにしておけば良い。５０度以上の大きな角度をもたせる場合は、施錠用閂板２０の上下幅を従来の部品パーツ以上に大きくする必要が生じるなど部品交換のコストを要する場合がある。４０〜５０度の傾斜角度であれば、従前の施錠用閂板２０を利用して切削成形等による加工対応が可能である。
【００１９】
また、本考案に係る施錠用閂板２０は、施錠フック２１の下端部に小突起２３を備える。この小突起２３は、施錠時に、ロッカーの本体ケース側に設けた小孔３３に係合して、施錠用閂板２０の下辺の傾斜部２４が下から上に向かって強打されたときにも、その係合状態（ロック状態）を保つようにするものである。
【００２０】
小突起２３は、バール等の特殊工具による強打によっても簡単に係合が外れない強度（剛性）が必要である。通常の場合は、施錠用閂板２０の施錠フック２１を切削して成形すれば十分な強度を保証できる。切削以外にも、別体の部品パーツとして成形した小突起２３をネジ止め或いは溶接によって施錠フック２１に配設しても、同様の効果を得る。
【００２１】
小突起２３は、施錠フック２１の下端部または下端近傍に配することが望ましい。施錠用閂板２０に働く外力に抗する回動抑制のモーメントを担保するためである。
【００２２】
また小突起２３は、施錠時に回転軸点側に向かうよう設ける。こうしておけば、ロッカー側の受け孔３０の下方に若干の離隔距離をもって小孔３３を設けておくことにより、施錠時に、施錠フック２１下端の小突起２３が小孔３３に嵌入して係合し、外力に抗して係合状態を保つ。
【００２３】
従って、本考案に係るロッカー用錠によれば、施錠用閂板２０が受け孔３０に入り込んだ状態、つまり従来装置の施錠状態において、施錠フック２１の下部に設けた小突起２３が小孔３３に係合した状態になる。
【００２４】
そして、施錠用閂板２０の下辺は、施錠状態で、回動軸点側から施錠フック側に向かって上方に傾斜する傾斜部をもっているから、この部分をバール等の特殊工具で強打しても、工具は傾斜部に沿って上方に滑動し、力を分散させることが出来る一方で、小孔３３に係合している小突起２３が係合状態を保つため、かなり強い力で何度も繰り返して叩いても、小突起２３の係合が外れない限りはロックを外すことが出来ない。
【００２５】
このように、強制力をもってロックを外す際の難易度が高まるため、本考案に係るロッカー用錠の構造を一瞥するだけで、犯罪を企図する者もその実行をためらい或いは断念する可能性が高まる。ロッカーの窃盗犯罪は、短時間での多数処理が肝要であるところ、ひとつひとつのロッカーに要する解錠時間が従前の数倍となるときは、現状では実行を諦めざるを得ず、犯罪の発生確率は確実に低減する。
【００２６】
図３は、バールによる窃盗をさらに困難化させる施錠用閂板を例示するものである。この施錠用閂板４０は、施錠フック４１の下端部に小突起４３を備える点では前記実施形態のものと同じであるが、小突起４３の先端に、施錠時に上方に向かう凸部４７を設けてある。
【００２７】
また、傾斜部４４は、施錠フック４１の基端部まで上方傾斜させてあり、施錠時に水平となる部分をもたない。そして、この傾斜部４４の施錠フック４１側端部は、施錠時に、受け孔３０の幅方向中央（仮想線Ｌで示す）よりも外方に位置するようにしてある。
【００２８】
こうすることによって、バールを用いて施錠用閂板４０を下方から叩いたときに、バールの力はさらに分散される。傾斜部４４は、わずかの部分も施錠時に水平となる部分をもたず、しかも傾斜部４４の施錠フック４１側端部は、施錠時に、受け孔３０の幅方向中央（Ｌ）よりも外方に位置するからである。その位置まではバールは届かない。
【００２９】
一方、小突起４３の先端に、施錠時に上方に向かう凸部４７を設けることにより、バールによって施錠用閂板４０を下方から強打すると、この凸部４７が小孔３３と接触する形で抵抗し、解錠不能な状態をつくる。小孔３３は、凸部４７がぎりぎり入れる程度の上下寸法としておくことが望ましい。小孔３３が小さいほど、叩かれたときに凸部４７の抵抗が増すからである。
【図面の簡単な説明】
【００３０】
【図１】実施形態に係るロッカー用錠の施錠時の状態を例示する図である。
【図２】実施形態に係るロッカー用錠の解錠時の状態を例示する図である。
【図３】他の実施形態に係る凸部を備える小突起を例示する図である。
【図４】従来の普及型ロッカーに使用される錠を例示する図である。
【図５】従来の施錠用閂板の形状を例示する図である。
【図６】従来のロッカー用錠のこじ開け方法を例示する図である。
【図７】従来のこじ開け方法と施錠用閂板との関係を示す図である。
【符号の説明】
【００３１】
１０  施錠シリンダ
２０、４０  施錠用閂板
２１、４１  施錠フック
２３、４３  小突起
２４、４４  傾斜部
３０  受け孔
３３  小孔
４７  凸部
Ｒ  （施錠用閂板の）下辺
Ｑ  （施錠用閂板の）上辺
Ｌ  （受け孔３０の）幅方向中央を示す仮想線
【図１】
0003131461.tif 000003
【図２】
0003131461.tif 000004
【図３】
0003131461.tif 000005
【図４】
0003131461.tif 000006
【図５】
0003131461.tif 000007
【図６】
0003131461.tif 000008
【図７】
0003131461.tif 000009